(57)【要約】【課題】ディスクを収容する収納ケースがカートンに取り付けられ、そのカートンの中には、収納したディスクの内容に関係した商品等を収納するというディスク収納ケースとカートンとが一体となったディスク収納部付きカートンを提供することにある。【解決手段】本発明は、ディスク状記録媒体を装着して収納するためのディスク収納部材を台紙に貼付したディスク収納部を、四側面と天面と底面とからなる直方体形状のカートン本体の一側面に、その台紙で連結してディスク収納部とカートン本体を一体としたことを特徴とするディスク収納部付きカートンであり、頁部と背部が交互に折れ線を介して連設された台紙の頁部にディスク収納部材を貼付し、台紙を折れ線で折り畳み、背部で前記カートン本体の一側面と連結していることを特徴としている。【選択図】図１
2005313980.tif 000002
【特許請求の範囲】
【請求項１】
ディスク状記録媒体を装着して収納するためのディスク収納部材を台紙に貼付したディスク収納部を、四側面と天面と底面とからなる直方体形状のカートン本体の一側面に、前記台紙で連結して前記ディスク収納部と前記カートン本体を一体としたことを特徴とするディスク収納部付きカートン。
【請求項２】
頁部と背部が交互に折れ線を介して連設された前記台紙の前記頁部に前記ディスク収納部材を貼付し、前記台紙を前記折れ線で折り畳み、前記背部で前記カートン本体の一側面と連結していることを特徴とする請求項１に記載のディスク収納部付きカートン。
【発明の詳細な説明】
【技術分野】
【０００１】
この発明は、デジタルヴァーサタイルディスク（ＤＶＤ）、コンパクトディスク（ＣＤ）、ＣＤ−ＲＯＭ、光ディスク等の情報を記録するディスク状記録媒体（以下ディスクと略称する）を収納するためのディスク収納部がカートンに一体に取り付けられたディスク収納部付きカートンに関するものである。
【背景技術】
【０００２】
従来から、ディスクを収納するケースとしては、プラスチックの成型によって作られた薄板状の収納部材と、その一端に回動可能に取り付けられた蓋とを備えたプラスチック製の収納ケースが一般的である。また、複数枚のディスクを収容するための収納ケースとしては、プラスチック製の収納ケースを組み合わせて一体とした形態等が提案されている（例えば、特許文献１に参照。）。さらに、プラスチックを使用しない複数枚のディスクを収容する紙製の収納ケースとしては、複数枚のディスクを差し込む形態（例えば、特許文献２に参照。）等も提案されている。
【特許文献１】特開平１１−３４９０７９号公報
【特許文献２】特開２００１−１２２３７４号公報
【発明の開示】
【発明が解決しようとする課題】
【０００３】
しかしながら、上記のディスク収納ケースに収納されたディスクに関係した商品等をディスクと共に販売する場合、あるいは、販売する商品等の画像を記録したディスクを商品と共に販売する場合、カートンに収納した商品等とディスク収納ケースディスクに収納したディスクを、別々に販売する必要があった。ディスクを収納したディスク収納ケースと商品等を収納したカートンとが一体となったディスク収納部付きカートンはまだ提案されていない。
【０００４】
本発明は、ディスクを収容する収納ケースがカートンに取り付けられ、そのカートンの中には、収納したディスクの内容に関係した商品等を収納するというディスク収納ケースとカートンとが一体となったディスク収納部付きカートンを提供することを目的とするものである。
【課題を解決するための手段】
【０００５】
上記の目的を達成するために、本発明は、ディスク状記録媒体を装着して収納するためのディスク収納部材を台紙に貼付したディスク収納部を、四側面と天面と底面とからなる直方体形状のカートン本体の一側面に、前記台紙で連結して前記ディスク収納部と前記カートン本体を一体としたことを特徴とするディスク収納部付きカートンであり、頁部と背部が交互に折れ線を介して連設された前記台紙の前記頁部に前記ディスク収納部材を貼付し、前記台紙を前記折れ線で折り畳み、前記背部で前記カートン本体の一側面と連結していることを特徴とする。
【発明の効果】
【０００６】
本発明のディスク収納部付きカートンは、収納したディスクの内容に関係した商品等を収納したカートンとディスクを収容した収納ケースとを一体とすることによって、別々に販売するのではなく一つの商品として販売することができるという効果を有するものである。
【発明を実施するための最良の形態】
【０００７】
以下、図面を用いて本発明の実施の形態を説明する。なお、幾つかの図面に渡って同一または同様な部分には同一の符号を付けている。
【０００８】
図１は本発明のディスク収納部付きカートンの一実施形態を示す斜視図および上面図である。ディスク収納部付きカートンＡは、商品が収納されたカートン本体１とディスクが収納されたディスク収納部材４を台紙３に貼付したディスク収納部２とから構成されている。カートン本体１は四側面と天面と底面とからなる直方体形状のカートンであり、側面が側パネル１１、前パネル１２、側パネル１３、後パネル１４とからなり、側パネル１１において、ディスク収納部２と連結している。
【０００９】
一方、ディスク収納部２は、図２−ａに示すように、台紙３とディスク収納部材４とからなり、台紙３は頁部３１と背部３２とからなっており、頁部３１にディスク収納部材４を貼付している。本例は３枚のディスク５を収納するディスク収納部２であり、４枚の頁部３１ａ、３１ｂ、３１ｃ、３１ｄと４つの背部３２ａ、３２ｂ、３２ｃ、３２ｄを折れ線を介して交互に連設している。このような台紙３を折れ線で内側に折り曲げて、図２−ｂに示すように、巻き込んで折り畳んだ状態にしてディスク収納部２としている。このディスク収納部２では、頁部３１ａはカバーとなり、頁部３１ｂ、３１ｃ、３１ｄにはそれぞれディスク収納部材４、４、４、４を貼付している。背部３２ｄにおいて、カートン本体１の側パネル１１と連結している。ディスク収納部材４としては、広く一般的に知られているプラスチックの成形品等、ディスクを装着して収納できる形状のものであればよく、特に、限定されるものではない。
【００１０】
図３は本発明のディスク収納部付きカートンの一実施形態のブランクの展開図である。ブランク１０Ａは、カートン本体１の部分１０ａとディスク収納部２の部分１０ｂとからなり、カートン本体１の部分１０ａは、側パネル１１、前パネル１２、後パネル１３、側パネル１４、そして糊代片１５を折れ線ａ、ｂ、ｃ、ｄを介して順次連設している。また、側パネル１１の上辺には、折れ線ｅを介して天折り込み片１６を、下辺には、折れ線ｆを介して底折り込み片１７を連設し、前パネル１２の上辺には、折れ線ｇを介して天パネル１８を、下辺には、折れ線ｈを介して底パネル１９を連設し、側パネル１３の上辺には、折れ線ｉを介して天折り込み片２０を、下辺には、折れ線ｊを介して底折り込み片２１を連設し、そして、天パネル１８の上辺には、折れ線ｋを介して天差し込み片２２を、底パネル１９の下辺には、折れ線ｌを介して底差し込み片２３を連設している。
【００１１】
また、ディスク収納部２の部分１０ｂは、頁部３１ａ、背部３２ａ、頁部３１ｂ、背部３２ｂ、頁部３１ｃ、背部３２ｃ、頁部３１ｄ、背部３２ｄを折れ線ｍ、ｎ、ｏ、ｐ、ｑ、ｒ、ｓを介して順次連設している。４枚の頁部３１ａ、３１ｂ、３１ｃ、３１ｄの形状は、ディスク収納部材４を貼付する部分であり、同形である。また、背部３２ａ、３２ｂ、３２ｃ、３２ｄの形状は、幅がそれぞれ異なっており、巻き込んだ状態で背の部分となるように、ディスク収納部材４の厚さの略１倍、略２倍、略３倍と適宜除除に広くしている。最大幅の背部３２ｄにおいて、カートン本体１の側パネル１１と連結している。
【００１２】
本発明のディスク収納部付きカートンＡでは、カートン本体１の側パネル１１とディスク収納部２の背部３２ｄとで、カートン本体１とディスク収納部２とが折れ線ｔで連結されているが、この折れ線ｔは切り取り可能とすることもできる。この折れ線ｔをミシン目等で切り取り可能とすることにより、ディスク収納部付きカートンに収納された商品５およびディスク６を購入した消費者は、カートン本体１からディスク収納部２を切り離して使用することができる。また、側パネル１１と背部３２ｄとの間の折れ線ｔはなくてもよく、連続した一つのパネルとしてもよい。
【００１３】
なお、本例では、前パネル１２に窓部Ｗを設けて、中に収納した商品５を外から見える形状としているが、必ずしも窓部Wを設ける必要はない。
【００１４】
また、ディスク収納部２の台紙３の頁部３１を補強するために、補強パネル３３を各頁部３１に貼り合わせることもできる。例えば、図４に示すように、頁部３１ｂ、３１ｃ、３１ｄの一方の側辺（本図では上辺）には折れ線ｔ、ｕ、ｖを介して補強パネル３３ｂ、３３ｃ、３３ｄをそれぞれ連設している。この補強パネル３３ｂ、３３ｃ、３３ｄをそれぞれ頁部３１ｂ、３１ｃ、３１ｄの裏面に折り重ねて貼り合わせて、頁部３１ｂ、３１ｃ、３１ｄを補強することができる。
【００１５】
図５は、本発明のディスク収納部付きカートンの別の実施形態を示す斜視図である。ディスク収納部付きカートンＢは、カートン本体１とディスク収納部２とから構成され、カートン本体１はディスク収納部付きカートンＡと同じであるが、ディスク収納部２が、図６−ａに示すように、１枚のディスクを収納するディスク収納部２であり、２枚の頁部３１ａ、３１ｂと２つの背部３２ａ、３２ｂを折れ線を介して交互に連設している。このような台紙３を折れ線で内側に折り曲げて、図６−ｂに示すように、折り込んだ状態にしてディスク収納部２としている。このディスク収納部２では、頁部３１ａはカバーとなり、頁部３１ｂにはディスク収納部材４を貼付している。また、背部３２ａ、３２ｂの幅は、巻き込んだ状態で背の部分となるように、ディスク収納部材４の厚さの略１倍としている。背部３２ｂにおいて、カートン本体１の側パネル１１と連結している。
【００１６】
図７は本発明のディスク収納部付きカートンＢのブランクの展開図である。ブランク１０Ｂは、カートン本体１の部分とディスク収納部２の部分とからなり、カートン本体１の部分１０ａは、ディスク収納部付きカートンＡと同様に、側パネル１１、前パネル１２、後パネル１３、側パネル１４、そして糊代片１５を折れ線ａ、ｂ、ｃ、ｄを介して順次連設している。また、側パネル１１の上辺には、折れ線ｅを介して天折り込み片１６を、下辺には、折れ線ｆを介して底折り込み片１７を連設し、前パネル１２の上辺には、折れ線ｇを介して天パネル１８を、下辺には、折れ線ｈを介して底パネル１９を連設し、側パネル１３の上辺には、折れ線ｉを介して天折り込み片２０を、下辺には、折れ線ｊを介して底折り込み片２１を連設し、そして、天パネル１８の上辺には、折れ線ｋを介して天差し込み片２２を、底パネル１９の下辺には、折れ線ｌを介して底差し込み片２３を連設している。
【００１７】
また、ディスク収納部２の部分１０ｂは、頁部３１ａ、背部３２ａ、頁部３１ｂ、背部３２ｂを折れ線ｍ、ｎ、ｏを介して順次連設している。２枚の頁部３１ａ、３１ｂの形状は、ディスク収納部材４を貼付する部分であり、同形である。また、背部３２ａ、３２ｂの形状は、幅がそれぞれ異なっており、巻き込んだ状態で背の部分となるように、ディスク収納部材４の厚さの略１倍としている。背部３２ｂにおいて、カートン本体１の側パネル１１と連結している。
【００１８】
なお、本実施形態の例では、カートン本体１の形態をサックカートン形式としているが、シールカートン形式とすることもできる。また、天パネル１８、天折り込み片１６、２０、および底パネル１９、底折り込み片１７、２１を連設する位置関係については、本実施例に限定されるものではない。さらに、本例のように、前パネル１２に窓部Ｗを設けて、中に収納した商品５を外から見える形状とすることもできる。
【００１９】
つぎに、図３に示した展開されたブランク１０Ａから商品５およびディスク６を収納した本実施の形態のディスク収納部付きカートンＡを組立てる工程について図を用いて説明する。
【００２０】
まず、ブランク１０Ａの状態から、カートン本体１の部分１０ａを組み立てる。図８−ａに示すように、糊代片１５を折れ線ｄで内側に折り曲げ、ついで、側パネル１３を折れ線ｂで内側に折り曲げ、糊代片１５を側パネル１１の裏面に貼り合わせて、図８−ｂに示すように、カートン本体１の部分が折り畳まれた状態とする。つぎに、ディスク収納部２の部分を組み立てる。図８−ｃに示すように、頁部３１ｂ、３１ｃ、３１ｄの裏面にそれぞれディスク収納部材４、４，４を貼り合わせる。この貼り合わせは、ホットメルト接着剤、両面テープ等を使用して接着する。このようにして、商品およびディスクが収納される前のディスク収納部付きカートンＡが作製される。
【００２１】
つぎに、この折り畳まれた状態から、図８−ｄに示すように、ディスク収納部材４が貼付されたディスク収納部付きカートンＡのカートン本体１を起こして筒状にし、商品５を収納し、天折り込み片１６、２０を内側に折り込み、天パネル１８を内側に折り曲げ、天差し込み片２２を中に差し込んで天面を形成し、同様に、底折り込み片１７、２１を内側に折り込み、底パネル１９を内側に折り曲げ、底差し込み片２３を中に差し込んで底面を形成して、図８−ｅに示すように、商品５が収納されたカートン本体１を作製する。
１  ついで、ディスク収納部材４にそれぞれディスク６を収納し、そのディスク６が収納されたディスク収納部材４が貼付された台紙３を、図２−ａに示すように、それぞれの折れ線で内側に折り曲げ、巻き込むように折り畳んで、図２−ｂに示すように、ディスク収納部２を形成し、図１に示すように、カートン本体１の後パネル１４側でカートン本体１と一体となったディスク収納部付きカートンＡを完成することができる。
【００２２】
上述のように作製された本発明のディスク収納部付きカートンＡは、商品５がカートン本体１に収納され、ディスク６がディスク収納部２にされた状態で一体とした形態で販売される。この商品５およびディスク６を購入した消費者は、商品５をカートン本体１から取り出し、そして、ディスク６をディスク収納部２から取り出して使用することができる。また、カートン本体１とディスク収納部２を連結した部分からディスク収納部２を切り離してディスク６を保管することもできる。
【産業上の利用可能性】
【００２３】
具体的な用例としては、デジタルヴァーサタイルディスク（ＤＶＤ）、コンパクトディスク（ＣＤ）、ＣＤ−ＲＯＭ、光ディスク等の情報を記録するディスク状記録媒体ディスクを収納し、かつ、商品を一体として販売する場合の包装形態として利用することができる。例えば。ＤＶＤ、ＣＤ等をキャンペーンとして商品を付けて販売する場合、逆に、商品の説明等としてＤＶＤ、ＣＤ等を付けて販売する場合等の用途があげられる。
【図面の簡単な説明】
【００２４】
【図１】本発明のディスク収納部付きカートンの一実施形態を示す斜視図および上面図である。
【図２】本発明のディスク収納部付きカートンの一実施形態のディスク収納部を示す斜視図である。
【図３】図１の本発明のディスク収納部付きカートンのブランクの展開図である。
【図４】本発明のディスク収納部付きカートンのディスク収納部の台紙の別の形状を示す概略斜視図である。
【図５】本発明のディスク収納部付きカートンの別の実施形態を示す斜視図および上面図である。
【図６】本発明のディスク収納部付きカートンの別の実施形態のディスク収納部を示す斜視図である。
【図７】図４の本発明のディスク収納部付きカートンのブランクの展開図である。
【図８】本発明のディスク収納部付きカートンの一実施形態の組み立てを説明する斜視図である。
【符号の説明】
【００２５】
Ａ          ディスク収納部付きカートン
Ｂ          ディスク収納部付きカートン
１          カートン本体
２          ディスク収納部
３          台紙
４          ディスク収納部材
５          商品
６          ディスク
１０Ａ        ブランク（ディスク収納部付きカートンＡの）
１０Ｂ        ブランク（ディスク収納部付きカートンＢの）
１１          側パネル
１２          前パネル
１３          側パネル
１４          後パネル
１５          糊代片
１６          天折り込み片
１７          底折り込み片
１８          天パネル
１９          底パネル
２０          天折り込み片
２１          底折り込み片
２２          天差し込み片
２３          底差し込み片
３１ａ〜３１ｄ  頁部
３２ａ〜３２ｄ  背部
３３ａ〜３３ｄ  補強部
ａ〜ｔ        折れ線
Ｗ          窓部
【図１】
2005313980.tif 000003
【図２】
2005313980.tif 000004
【図３】
2005313980.tif 000005
【図４】
2005313980.tif 000006
【図５】
2005313980.tif 000007
【図６】
2005313980.tif 000008
【図７】
2005313980.tif 000009
【図８】
2005313980.tif 000010